【手続補正書】
【提出日】平成16年10月27日(2004.10.27)
【手続補正１】
【補正対象書類名】明細書
【補正対象項目名】発明の名称
【補正方法】変更
【補正の内容】
【発明の名称】ガス化溶融システム及び廃棄物の処理方法
【手続補正２】
【補正対象書類名】明細書
【補正対象項目名】特許請求の範囲
【補正方法】変更
【補正の内容】
【特許請求の範囲】
【請求項１】
廃棄物を熱分解ガス化してガスとチャーを生成するガス化炉と、前記ガスとチャーを導入して溶融燃焼する溶融炉を備えたガス化溶融システムにおいて、
前記溶融炉で形成された溶融スラグを排出するスラグ排出口と、
前記スラグ排出口から前記溶融炉内の燃焼排ガスを吸気する誘引ファンと、
前記誘引ファンによって吸気された燃焼排ガスを前記溶融炉へ戻す排ガス配管とを備えたことを特徴とするガス化溶融システム。
【請求項２】
前記スラグ排出口に接続され、冷却構造を有するシュートを備えたことを特徴とする請求項１記載のガス化溶融システム。
【請求項３】
前記燃焼排ガスを前記スラグ排出口からシュートを介して前記溶融炉に戻すことを特徴とする請求項１または２記載のガス化溶融システム。
【請求項４】
廃棄物を熱分解ガス化してガスとチャーを生成するガス化炉と、前記ガスとチャーを導入して溶融燃焼する溶融炉を備えたガス化溶融システムにおいて、
前記溶融炉に設けられたスラグ排出口と、
前記スラグ排出口から排出された溶融スラグを冷却するスラグ冷却装置と、
前記スラグ排出口から前記溶融炉内の燃焼排ガスを吸気する誘引ファンと、
前記誘引ファンによって吸気された燃焼排ガスを前記溶融炉へ戻す排ガス配管とを備えたことを特徴とするガス化溶融システム。
【請求項５】
前記スラグ冷却装置が、前記スラグ排出口と連通された水冷ジャケットと、前記水冷ジャケットを通過した溶融スラグを急冷する水砕トラフと、前記水砕トラフで急冷されたスラグを搬出するスラグコンベアを有することを特徴とする請求項４記載のガス化溶融システム。
【請求項６】
廃棄物を熱分解ガス化してガスとチャーを生成するガス化炉と、前記ガスとチャーを導入して溶融燃焼する溶融炉を備えたガス化溶融システムにおいて、
前記溶融炉で形成された溶融スラグを排出するスラグ排出口と、
前記スラグ排出口に水を供給する手段と、
前記スラグ排出口から前記溶融炉内の燃焼排ガスを吸気する誘引ファンと、
前記誘引ファンによって吸気された燃焼排ガスを前記溶融炉へ戻す排ガス配管とを備えたことを特徴とするガス化溶融システム。
【請求項７】
廃棄物をガス化炉にて熱分解ガス化してガスとチャーを生成し、前記ガスとチャーを溶融炉に導入して溶融燃焼する廃棄物の処理方法において、
前記溶融炉で形成された溶融スラグをスラグ排出口より排出し、
前記スラグ排出口から誘引ファンにより前記溶融炉内の燃焼排ガスを吸気し、
前記誘引ファンによって吸気された燃焼排ガスを排ガス配管により前記溶融炉へ戻すことを特徴とする廃棄物の処理方法。
【手続補正３】
【補正対象書類名】明細書
【補正対象項目名】００１３
【補正方法】変更
【補正の内容】
【００１３】
本発明は上述した事情に鑑みてなされたもので、高温での溶融燃焼で生じた溶融スラグを、溶融炉のスラグ排出口からスムーズに排出して水砕スラグ化できるガス化溶融システム及び廃棄物の処理方法を提供することを目的とする。
【手続補正４】
【補正対象書類名】明細書
【補正対象項目名】００１４
【補正方法】変更
【補正の内容】
【００１４】
【課題を解決するための手段】
本発明の第１の態様のガス化溶融システムは、廃棄物を熱分解ガス化してガスとチャーを生成するガス化炉と、前記ガスとチャーを導入して溶融燃焼する溶融炉を備えたガス化溶融システムにおいて、前記溶融炉で形成された溶融スラグを排出するスラグ排出口と、前記スラグ排出口から前記溶融炉内の燃焼排ガスを吸気する誘引ファンと、前記誘引ファンによって吸気された燃焼排ガスを前記溶融炉へ戻す排ガス配管とを備えたことを特徴とする。
本発明の一態様は、 前記スラグ排出口に接続され、冷却構造を有するシュートを備えたことを特徴とする。
本発明の一態様は、前記燃焼排ガスを前記スラグ排出口からシュートを介して前記溶融炉に戻すことを特徴とする。
本発明の第２の態様のガス化溶融システムは、廃棄物を熱分解ガス化してガスとチャーを生成するガス化炉と、前記ガスとチャーを導入して溶融燃焼する溶融炉を備えたガス化溶融システムにおいて、前記溶融炉に設けられたスラグ排出口と、前記スラグ排出口から排出された溶融スラグを冷却するスラグ冷却装置と、前記スラグ排出口から前記溶融炉内の燃焼排ガスを吸気する誘引ファンと、前記誘引ファンによって吸気された燃焼排ガスを前記溶融炉へ戻す排ガス配管とを備えたことを特徴とする。
本発明の一態様は、前記スラグ冷却装置が、前記スラグ排出口と連通された水冷ジャケットと、前記水冷ジャケットを通過した溶融スラグを急冷する水砕トラフと、前記水砕トラフで急冷されたスラグを搬出するスラグコンベアを有することを特徴とする。
本発明の第３の態様のガス化溶融システムは、廃棄物を熱分解ガス化してガスとチャーを生成するガス化炉と、前記ガスとチャーを導入して溶融燃焼する溶融炉を備えたガス化溶融システムにおいて、前記溶融炉で形成された溶融スラグを排出するスラグ排出口と、前記スラグ排出口に水を供給する手段と、前記スラグ排出口から前記溶融炉内の燃焼排ガスを吸気する誘引ファンと、前記誘引ファンによって吸気された燃焼排ガスを前記溶融炉へ戻す排ガス配管とを備えたことを特徴とする。
本発明の第４の態様の廃棄物の処理方法は、廃棄物をガス化炉にて熱分解ガス化してガスとチャーを生成し、前記ガスとチャーを溶融炉に導入して溶融燃焼する廃棄物の処理方法において、前記溶融炉で形成された溶融スラグをスラグ排出口より排出し、前記スラグ排出口から誘引ファンにより前記溶融炉内の燃焼排ガスを吸気し、前記誘引ファンによって吸気された燃焼排ガスを排ガス配管により前記溶融炉へ戻すことを特徴とする。
本発明の好ましい態様のガス化溶融システムは、廃棄物をガス化炉を用いて比較的低温で熱分解ガス化して、生成したガスとチャーを溶融炉を用いて高温で溶融燃焼するガス化溶融システムにおいて、前記高温での溶融燃焼で生じた溶融スラグを、前記溶融炉の底部に設けたスラグ排出口から、少なくとも一部に水冷ジャケット構造を有するシュートを通過させて排出する。
【手続補正５】
【補正対象書類名】明細書
【補正対象項目名】００１６
【補正方法】変更
【補正の内容】
【００１６】
また、本発明の好ましい態様のガス化溶融システムは、廃棄物をガス化炉を用いて比較的低温で熱分解ガス化して、生成したガスとチャーを溶融炉を用いて高温で溶融燃焼するガス化溶融システムにおいて、前記高温での溶融燃焼で生じた溶融スラグを、前記溶融炉の底部に設けたスラグ排出口から、シュートを介してスラグ冷却装置に導入する際に、前記溶融炉の燃焼排ガスの一部を前記シュート内に導入する。
【手続補正６】
【補正対象書類名】明細書
【補正対象項目名】００１８
【補正方法】変更
【補正の内容】
【００１８】
また、本発明の好ましい態様のガス化溶融システムは、廃棄物をガス化炉を用いて比較的低温で熱分解ガス化して、生成したガスとチャーを溶融炉を用いて高温で溶融燃焼するガス化溶融システムにおいて、前記溶融炉の底部に設けたスラグ排出口から少なくとも一部に水冷ジャケット構造を有するシュートを介してスラグ冷却装置に接続すると共に、前記溶融炉の燃焼排ガスの一部を前記シュート内に導入するための誘引ファンを備えた。